(57)【要約】      （修正有）【課題】クリーニングや維持管理のために簡易な取付け取外しが可能であって、多孔板（メッシュ）を十分に固定することができる充填ノズルを提供する。【解決手段】充填ノズルでは、ノズル先端部１４が、ノズル本体の下端を収容する上部開口４３と、ノズル本体とバヨネットによって係合する係合溝４２と、下端に形成された吐出口と、吐出口からメッシュ４４の落下を防止する係合段と、メッシュを固定しノズル本体との係合を確保する固定バネとを有し、固定バネが、上部開口を通過可能な寸法を有し、収容されたバネが変形して、メッシュの周辺を下方及び外方に、バネの復元力を付加して、メッシュを固定する。【選択図】図１
2011136755.tif 000002
【特許請求の範囲】
【請求項１】
液体を容器に定量ずつ充填する液体定量充填装置が該容器に該液体を吐出する位置に配設される充填ノズルであって、
ノズル本体と、ノズル本体から液体を吐出する吐出口に配設されるメッシュと、吐出口に臨む底部にメッシュを収容して固定しノズル本体の下端に着脱自在に取付けられるノズル先端部とからなり、
ノズル先端部は、ノズル本体の下端を収容する上部開口と、ノズル本体とバヨネットによって係合する係合溝と、下端に形成された吐出口と、吐出口からメッシュの落下を防止する係合段と、メッシュを固定する固定バネとを有し、
固定バネは、上部開口を通過可能な寸法を有し、メッシュの縁部上端とノズル先端部の上部内面とへの圧接による力によりバネが変形して、メッシュの周辺を下方に、バネの復元力を付加して、メッシュを固定しノズル本体との係合を確保し、
係合段は、ノズル先端部内部へのメッシュの挿入を可能にする切欠けを有する、
ことを特徴とする充填ノズル。
【発明の詳細な説明】
【技術分野】
【０００１】
本発明は、流動性食品などの液体を容器に定量ずつ充填する液体定量充填装置に用いられる充填ノズルに関する。
【背景技術】
【０００２】
図６に図示するジュースや牛乳などの液体食品などを充填する容器１５は、その空容器に液体を定量ずつ充填する液体定量充填装置を用いて得られる。
【０００３】
液体定量充填装置の充填ノズルでは、下端開口縁部内面に環状の上向き受け面および下向き押え面が所定間隔をおいて向き合うように設けられている垂直筒状ノズル本体と、受け面および押え面の間に周縁部を介在させるように多段に配されかつノズル本体内の液体の表面張力によって同液体の自重による流下を防止する複数の多孔板（メッシュ）と、隣接する多孔板（メッシュ）の周縁部間に介在させられている環状スペーサとを備えており、多孔板（メッシュ）の孔が、多孔板（メッシュ）の周縁部を含めた全体に散在するようにあけられている。（特許文献１参照）
また、垂直筒状ノズル本体の下端開口に、液体の重力による流下を、液体の表面張力により防止する複数の多孔板（メッシュ）を多段に配置し、隣接する多孔板（メッシュ）の周縁部間に環状スペーサを介在させ、多孔板（メッシュ）の周縁部に、これの全周にわたってのびた環状の孔無し部を設ける。（特許文献２参照）
【０００４】
ホルダがメッシュをノズル内に保持する。このホルダが、バネ特性の棒状材を閉ループにした立体形状を有し、ノズルに着脱する場合はバネ特性によりホルダ外形が縮小し、ノズルへの着脱が容易にできる。この立体形状は、棒状材を菱形に閉ループに形成し、相対する頂点を結ぶ直線を軸にして鋭角に折り曲げて成る立体形状である、又は、棒状材を、相対する２本の平行な直線とそれらを繋ぐ２本の略円弧曲線との閉ループに形成し、前記直線と前記曲線との交点で垂直に折り曲げて成る立体形状である。（特許文献３参照）
【先行技術文献】
【特許文献】
【０００５】
【特許文献１】実開平０４−９７０１０号公報
【特許文献２】特開平０９−９９９１４号公報
【特許文献３】特開２００２−１２２０６号公報
【発明の概要】
【発明が解決しようとする課題】
【０００６】
従来の充填ノズルでは、クリーニングや維持管理のための煩雑な取付け取外し作業、多孔板（メッシュ）の不十分な固定などの不都合がある。
本発明は、上記の必要性、切望に応えるものであり、クリーニングや維持管理のために簡易な取付け取外しが可能であって、多孔板（メッシュ）を十分に固定することができる充填ノズルを提供することを目的とする。
【課題を解決するための手段】
【０００７】
この課題を解決する本発明の充填ノズルは、液体を容器に定量ずつ充填する液体定量充填装置が容器に液体を吐出する位置に配設される充填ノズルであって、
ノズル本体と、ノズル本体から液体を吐出する吐出口に配設されるメッシュと、吐出口に臨む底部にメッシュを収容して固定しノズル本体の下端に着脱自在に取付けられるノズル先端部とからなり、
ノズル先端部は、ノズル本体の下端を収容する上部開口と、ノズル本体とバヨネットによって係合する係合溝と、下端に形成された吐出口と、吐出口からメッシュの落下を防止する係合段と、メッシュを固定する固定バネとを有し、
固定バネは、上部開口を通過可能な寸法を有し、メッシュの縁部上端とノズル先端部の上部内面とへの圧接による力によりバネが変形して、メッシュの周辺を下方に、バネの復元力を付加して、メッシュを固定しノズル本体との係合を確保し、
係合段は、ノズル先端部内部へのメッシュの挿入を可能にする切欠けを有する、
ことを特徴とする。
【発明の効果】
【０００８】
上述の本発明によれば、以下の有利な作用を奏し顕著な効果が得られる。
本発明の充填ノズルは、液体を容器に定量ずつ充填する液体定量充填装置に配設される。充填ノズルは容器に液体を吐出する位置に配設され、容器の開口から液体食品を容器内に充填する。
充填ノズルは、垂直筒状ノズル本体と、ノズル本体から液体を吐出する吐出口に配設されるメッシュと、吐出口に臨む底部にメッシュを収容して固定しノズル本体の下端に着脱自在に取付けられるノズル先端部とからなる。
【０００９】
液体は、ノズル本体の筒内部を降下して通過し、ノズル本体の下端吐出口から吐出する。メッシュが吐出口に配設されている。このメッシュが、定量ずつ容器に充填する為に、液体の重力による流下を液体の表面張力により防止する。
ノズル先端部は、吐出口に臨む底部にメッシュを収容して固定しノズル本体の下端に着脱自在に取付ける。ノズル先端部を着脱することで、充填ノズルの中で最もクリーニングや維持管理が必要なメッシュを容易に簡易に取り外し取付けることができる。
【００１０】
ノズル先端部は、ノズル本体の下端を収容する上部開口と、ノズル本体とバヨネットによって係合する係合溝と、下端に形成された吐出口と、吐出口からメッシュの落下を防止する係合段と、メッシュを固定する固定バネとを有する。
ノズル本体から流れてきた液体食品は、ノズル先端部の上部開口から流入し、下端に形成された吐出口より出る。ノズル先端部は、上部開口でノズル本体下端を収容し、ノズル本体とバヨネット方式によって係合溝と係合する。
ここでバヨネットは、２〜４箇所の爪部分と溝がノズル本体とノズル先端部につけられており、ノズル先端部を差し込み爪と溝とを嵌合させ、そのままひねる事で装着が可能となる。
【００１１】
ノズル先端部は、吐出口に臨む底部にメッシュを収容する。メッシュは、ノズル先端部の係合段と引っ掛かって落下防止される。下から係合段で支えられるメッシュは、更に、固定バネによって固定される。
固定バネは、上部開口を通過可能な寸法を有する。また、固定バネは、メッシュの縁部上端とノズル先端部の上部内面とへの圧接による力によりバネが変形して、メッシュの周辺を下方に、バネの復元力を付加して、メッシュを固定しノズル本体との係合を確保する。
【００１２】
本発明の充填ノズルの固定バネによって、メッシュ及びノズル先端部を、クリーニングや維持管理のために簡易に取付け、また取外しが容易に可能となる。
他方、固定バネのバネによって、多孔板（メッシュ）を十分に固定することができる。
固定バネのバネが、メッシュの周辺を下方及び外方に、バネの復元力を付加するので、機械的に弱い中央部のメッシュを破損することが無い。
更に、固定バネは、ノズル先端部の内部周辺部に位置するようになり、その中央部・中心部が空洞になるので、液体食品の流れを妨げる不要なものがない。
係合段は切欠けを有する。この構造により、ノズル先端部内部へのメッシュの挿入を可能にし、クリーニングや維持管理のために、メッシュの簡易な取付け、また取外しが容易に可能となる。
【図面の簡単な説明】
【００１３】
【図１】この発明による充填ノズル例のノズル先端部の斜視図である。
【図２】この発明による充填ノズル例のノズル先端部の吐出口の部分外観図である。
【図３】この発明による充填ノズル例の断面図である。
【図４】この発明による充填ノズル例の固定バネの斜視図である。
【図５】この発明による充填ノズル例のノズル先端部の吐出口からメッシュを挿入する様子を示す断面図である。
【図６】充填前の包装容器例（Ａ）及び、充填封止後の包装容器例（Ｂ）の斜視図である。
【図７】液体定量充填装置に用いられる充填ノズルの断面図である。
【図８】液体定量充填装置に用いられる充填ノズルの分解斜視図である。
【発明を実施するための形態】
【００１４】
以下、本発明の実施の形態について図面を参照しながら詳細に説明する。
図７は、液体定量充填装置の参考例を概略的に示す。
この液体定量充填装置は、液体食品を収容するタンク１１、タンク１１内の液体食品を計量する往復動型の計量用ポンプ１２、計量用ポンプ１２に接続された充填ノズル１３及び、ノズル先端部１４からなる。タンク１１内の液体食品は、計量用ポンプ１２によって定量ずつ計量され、充填ノズル１３及び、ノズル先端部１４を介して上端が開口されたカートン（容器）１５に充填される。
液体定量充填装置例は、コンベヤ上の容器の搬送経路上方に配置される。
【００１５】
液体食品は、計量用ポンプ１２を駆動してタンク１１から液体食品を吸い込む吸込モード、及び吸い込んだ液体食品を充填ノズル１３に送り出す送出しモードによって計量され、充填される。なお、図は吸込モードの状態を示し、液体食品は矢印方向に吸込される。
【００１６】
タンク１１の底部には吐出開口が形成され、タンク１１内は吐出開口及び吸込弁１９を介して計量用ポンプ１２の計量スペースと連通する。吐出開口の下方に弁本体２２が取り付けられ、弁本体２２の下方に弁ハウジング２３が取り付けられる。弁ハウジング２３の下方に充填ノズル１３及びノズル先端部１４が取り付けられる。
【００１７】
図１〜図５及び図８を参照して、本発明による充填ノズルの実施例を概略的に説明する。
充填ノズル１３は、液体を容器に定量ずつ充填する液体定量充填装置に配設される。充填ノズル１３は容器１５に液体を吐出する位置に配設され、容器１５の開口から液体食品を容器内に充填する。
充填ノズル１３は、垂直筒状ノズル本体１３と、ノズル本体から液体を吐出する吐出口に配設されるメッシュ４１と、吐出口に臨む底部にメッシュを収容して固定しノズル本体の下端に着脱自在に取付けられるノズル先端部１４とからなる。
【００１８】
液体は、ノズル本体１３の筒内部を降下して通過し、ノズル本体の下端吐出口４４から吐出する。メッシュが吐出口に配設されている。このメッシュが、定量ずつ容器に充填する為に、液体の重力による流下を液体の表面張力により防止する。
ノズル先端部は、吐出口４４に臨む底部にメッシュ４１を収容して固定しノズル本体の下端１３ａに着脱自在に取付ける。ノズル先端部１４を着脱することで、充填ノズルの中で最もクリーニングや維持管理が必要なメッシュ４１を容易に簡易に取り外し取付けることができる。
【００１９】
ノズル先端部１４は、ノズル本体の下端１３ａを収容する上部開口４３と、ノズル本体１３とバヨネットによって係合する係合溝４２と、下端に形成された吐出口４４と、吐出口４４からメッシュの落下を防止する係合段１４ａと、メッシュ４１を固定しノズル本体との係合を確保する固定バネ４５とを有する。
ノズル本体１３から流れてきた液体食品は、ノズル先端部の上部開口４３から流入し、下端に形成された吐出口４４より出る。ノズル先端部１４は、上部開口４３でノズル本体下端１３ａを収容し、ノズル本体１３とバヨネット方式によって係合溝４２と係合する。
ここでバヨネットは、２〜４箇所の爪部分と溝がノズル本体１３とノズル先端部１４につけられており、ノズル先端部を差し込み爪と溝とを嵌合させ、そのままひねる事で装着が可能となる。
【００２０】
ノズル先端部１４は、吐出口に臨む底部にメッシュ４１ａ、４１ｂ、４１ｃを収容する。メッシュは、ノズル先端部の係合段１４ａと引っ掛かって落下防止される。下から係合段１４ａで支えられるメッシュ４４は、更に、固定バネ４５によって固定される。
図２に示されるように、係合段１４ａには、切欠け５０を有する。この構造により、ノズル先端部内部へのメッシュの挿入を可能にし、クリーニングや維持管理のために、メッシュの簡易な取付け、また取外しが容易に可能となる。
図３及び図４に示すように、固定バネ４５は、上部開口４３を、図３の矢印に示す方向に、収縮変形して通過可能な寸法を有する。固定バネ４５は、図４に示すように、バネ性の棒状体を屈曲させて形成される。
上記構造によって、ノズル先端部１４内部に収容されて変形して、メッシュ４１の周辺を下方及び外方に固定バネの足４５ａによって、バネの復元力を付加して、メッシュを固定する。
【００２１】
実施例の充填ノズルの固定バネ４５によって、メッシュ４１ａ、４１ｂ、４１ｃ及びノズル先端部１４を、クリーニングや維持管理のために簡易に取付け、また取外しが容易になる。
固定バネ４５の足４５ａによって、メッシュ４１を十分に固定する。
固定バネ４５のバネ４５ａが、メッシュ４１の周辺を下方及び外方に、バネの復元力を付加するので、機械的に弱い中央部のメッシュを破損することが無い。
更に、固定バネ４５は、ノズル先端部１４の内部周辺部に位置するようになり、その中央部・中心部が空洞になるので、液体食品の流れを妨げる不要なものがない。
なお、本発明は前記実施の形態に限定されるものではなく、本発明の趣旨に基づいて種々変形させることが可能であり、それらを本発明の範囲から排除するものではない。
【産業上の利用可能性】
【００２２】
この発明は、ジュース、牛乳などの飲料を包装容器で包装充填する製造に適用することができる。
【符号の説明】
【００２３】
１１  ・・  タンク
１２  ・・  計量用ポンプ
１３  ・・  充填ノズル
１４  ・・  ノズル先端部
１４ａ・・  係合段
４１  ・・  メッシュ
４５  ・・  固定バネ
４２  ・・  係合溝
５０  ・・  切欠け
【図１】
2011136755.tif 000003
【図２】
2011136755.tif 000004
【図３】
2011136755.tif 000005
【図４】
2011136755.tif 000006
【図５】
2011136755.tif 000007
【図６】
2011136755.tif 000008
【図７】
2011136755.tif 000009
【図８】
2011136755.tif 000010